(57)【要約】　　　（修正有）【課題】絵画、写真その他の鑑賞空間を種々の匂い、香りが漂う心地よい雰囲気のものに形成し、ヒトをして、精神性の高まりに満ちた境地を自律的にあるいは他律的に認識せしめる。【解決手段】額縁本体１と、額縁本体はめ込まれ絵画、写真その他の鑑賞体を支持する中板部に放香手段を具え、前記放香手段は前記中板部に保持させ放香源と中板部を被覆するように額縁本体にはめ込まれる裏板とで構成し、さらに、前記中板部は絵画、写真その他の鑑賞体を直接支持する第１中板７と、放香源６を支持する第２中板５とからなり、前記放香源は前記第２中板に穿設した凹部５aに充填収納するようにし、前記第２中板は発泡樹脂材で構成するとともに前記裏板には香気通路としての多数の貫通孔３aを形成するようにした香気放散額縁装置の提供。【選択図】　　　図２
0003099874.tif 000002
【実用新案登録請求の範囲】
【請求項１】
額縁本体と、額縁本体はめ込まれ絵画、写真その他の鑑賞体を支持する中板部に放香手段を具えたことを特徴とする香気放散額縁装置。　
【請求項２】
請求項１の香気放散額額縁装置において、前記放香手段は前記中板部に保持させ放香源と中板部を被覆するように額縁本体にはめ込まれる裏板とで構成したことを特徴とする香気放散額縁装置。
【請求項３】
請求項２の香気放散額額縁装置において、前記中板部は絵画、写真その他の鑑賞体を直接支持する第１中板と、放香源を支持する第２中板とからなり、前記放香源は前記第２中板に穿設した凹部に充填収納するようにしたことを特徴とする香気放散額縁装置。
【請求項４】
請求項３の香気放散額額縁装置において、前記第２中板は発泡樹脂材で構成するとともに前記裏板には香気通路としての多数の貫通孔を形成したことを特徴とする香気放散額縁装置。
【考案の詳細な説明】
【技術分野】
【０００１】
　本願考案は、香気を放散する額縁装置に関し、詳しくは種々の香料による香気成分を額縁の裏側から放散して額縁の設置された周辺または部屋などを常時かぐわしい雰囲気に維持できる香気放散額縁装置に関するものである。
【背景技術】
【０００２】
　いわゆる額縁は、書画、写真その他のを嵌め込んで所要の場所に設置して鑑賞するための用具である。　このような額縁を設置することにより無機質な空間をヒトにある種の心地よさを与える空間に変えるとともに視線の拠りどころを形成して精神安定作用をも有するといえる。　額縁はいわばヒトの視覚に訴求して前記種々の効果を呈するものとも言うことができる。
【０００３】
　一方今日では、種々の香料を室内に置いて、放散される香気により所要の空間を広義の意味で装飾する例が多くなっている。いわゆるハーブ類の香気がトランキライザーとしての効能を謳われるにおよんで、各種の香気源を適宜な容器を使用していろいろな部屋に置いて香りを楽しんだり、香りそのものはもちろんのこと、香気の有する効能をも活用しようとする傾向が顕著になっている。香料は、嗅覚を介して所定空間をヒトの精神性に好ましい作用を呈する手段であると言える。
【０００４】
　したがって、所望の空間において、ヒトの視覚のみならず嗅覚をも介して、ヒトの精神性に好ましい作用を及ぼす額縁の実現が望まれるが、このような機能を有する技術はこれまで存在していない。
【特許文献１】特開平１０−２６３０６８号
【特許文献２】特開２００１−３３４７９７
【特許文献３】特開２００１−３４７７９５
【特許文献４】特開２００１−３５３０５３
【特許文献５】特開２００２−１１９３９９
【考案の開示】
【考案が解決しようとする課題】
【０００５】
　従来の額縁は、書画鑑賞のための器具として認識されており、単にヒトの視覚に訴求して所定の空間におけるヒトの精神性を高めるものであった。　　しかしながら、近年の研究によれば、香気も単に好ましい匂いを放散するに止まらず書画、彫刻等の室内装飾品と同様にヒトの精神性に深く作用して精神の鎮静、高揚、安定をもたらすことが判明しており、例えば、我が国の香道、西欧のアロマセラピーなどの伝統が見直されるきっかけともなっている。　したがって、従来の額縁において、適宜手段により所望の香気を流露できるものが実現すれば、ヒトの視覚のみならず、嗅覚にも好ましい作用を及ぼしてより有意義な生活空間等を実現し得る。
【課題を解決するための手段】
【０００６】
　本願発明は、額縁本体と、額縁本体はめ込まれ絵画、写真その他の鑑賞体を支持する中板部に放香手段を具えた香気放散額縁装置を提供して上記従来の課題を解決しようとするものである。　
【０００７】
また、上記の香気放散額縁装置において、前記放香手段は前記中板部に保持させ放香源と中板部を被覆するように額縁本体にはめ込まれる裏板とで構成することがある。
【０００８】
さらにまた、上記の香気放散額縁装置において、前記中板部は絵画、写真その他の鑑賞体を直接支持する第１中板と、放香源を支持する第２中板とからなり、前記放香源は前記第２中板に穿設した凹部に充填収納するように構成することがある。
【０００９】
　さらに、上記の香気放散額額縁装置において、前記第２中板は発泡樹脂材で構成するとともに前記裏板には香気通路としての多数の貫通孔を形成し、香気を所望の空間に随時放散する構成となすことがある。
【考案の効果】
【００１０】
　１個の額縁で、書画、写真等の鑑賞を楽しめる一方、額縁周辺の空間に例えば書画、写真にマッチした香源による香気を放散させて書画、写真等の鑑賞雰囲気をより奥深いものにする。このように、本願考案によれば、視覚、嗅覚の総合作用によりその空間に存在するヒトをして高い精神性を認識する世界に誘なうことができる。
【考案を実施するための最良の形態】
【００１１】
　額縁において、その裏面側に着脱容易に放香源を設置するとともに、放香源からの香気を放散するための手段を前記放香源近辺に設けた。
【実施例】
【００１２】
　図面に基づいて本願考案に係る香気放散額縁装置の一実施例を説明する。
図1は、香気放散額縁装置の外観図で、同図（ａ）は正面図、（ｂ）は裏面図である。
図において、１は額縁本体と、２は額縁本体１にはめ込まれ絵画、写真その他の鑑賞体であり、額縁本体１の裏面には図１（ｂ）に示すように後述の貫通孔を有する裏板３がはめ込まれている。
【００１３】
図２は、この実施例に係る香気放散額縁装置の分解斜視図である。図において、３は裏板であって、前述のように香気通路としての貫通孔３ａが複数穿設されている。４は、放香手段であり、第１中板７、第２中板５とで構成され放香源６を保持する中板部および中板部を覆う前記裏板３とにより構成されている。
この実施例において、第２中板５は発泡スチロール樹脂板により形成され、この発泡スチロール樹脂板５に穿設した凹部５ａを有していてこの凹部５ａには放香源６が充填収納されるようになっている。　なお、この実施例では、放香源６は凹部５ａにおける交換を容易にするため、通気性袋に香料を収納したものを使用している。また、絵画、写真その他の鑑賞体を直接指示する第１中板７は板紙その他の若干の剛性を有する適宜材で形成されている。
【００１４】
図３は、当該実施例に係る香気放散額縁装置の裏面に係る斜視図である。放香源６の香気が衰減してこれを交換する場合には、裏板３の開閉により実行するようになっている。
また、放香源６の香料としては、種々のものから絵画、写真その他の鑑賞体に調和したものを選択するが、通常は香料の範疇に入らない樹木由来の精油等を使用すれば、テルペンその他の含有成分の作用により森林のさわやかな雰囲気が醸成されて多くの種類の鑑賞体に適合する。
以上説明したように、本願考案によれば、絵画、写真その他の鑑賞空間を心地よい雰囲気のものに形成することができ、ヒトは深い精神性の境地を自律的にあるいは他律的に認識することになる。
【図面の簡単な説明】
【００１５】
【図１】本願考案の１実施例に係る香気放散額縁装置の表面および裏面を示す外観図である。
【図２】同上の香気放散額縁装置の分解斜視図である。
【図３】同上香気放散額縁装置の裏面に係る斜視図である。
【符号の説明】
【００１６】
１　　　額縁本体
２　　　絵画、写真その他の鑑賞体
３　　　裏板
３ａ　　香気通路（貫通孔）
４　　　放香手段
５　　　第２中板
５ａ　　凹部
６　　　放香源
７　　　第１中板
【図１】
0003099874.tif 000003
【図２】
0003099874.tif 000004
【図３】
0003099874.tif 000005